(57)【要約】【課題】  パチンコ台等遊技機が正常に稼動するために備えている電気回路に微弱交流を流しておき、当該微弱交流に変動が生じたことを記録し且つ照査することにより不正を検出するようにした新規のパチンコ等遊技場の不正行為検出方法およびパチンコ等遊技場の不正行為検出装置を提供する。【解決手段】  遊技機が正常に稼動するために備えている電気回路に対して微弱交流を供給する微弱交流供給手段と、微弱交流の流れの状態を記録する記録手段と、記録を表示する表示手段と、これら微弱交流供給手段、記録手段、表示手段を制御する制御手段と、閉店後から開店前までの間だけ機能するようにするための起動／停止手段を備え、当該起動／停止手段がパチンコ等遊技場の電源遮断動作および同電源投入動作により自動的に作動するようにされ、また記録手段がコンピュータに実行させるためのプログラムを記録したコンピュータ読み取り可能な記録媒体への記録部をもつことを特徴とする。【選択図】        図１
2007195763.tif 000002
【特許請求の範囲】
【請求項１】
遊技機が正常に稼動するために備えている電気回路に微弱交流を供給して、その流れの状態を記録し、当該記録の中の異常から不正を発見することを特徴とするパチンコ等遊技場の不正行為検出方法。
【請求項２】
微弱交流の供給が閉店後に開始し、開店前に一時終了することを特徴とする請求項１記載のパチンコ等遊技場の不正行為検出方法。
【請求項３】
微弱交流供給の開始および一時終了が、パチンコ等遊技場の電源遮断動作もしくは同電源投入動作により自動的になすようにされたことを特徴とする請求項２記載のパチンコ等遊技場の不正行為検出方法。
【請求項４】
微弱交流の流れの状態記録が、コンピュータに実行させるためのプログラムを記録したコンピュータ読み取り可能な記録媒体を介して収集されることを特徴とする請求項１〜３のいずれか一つに記載のパチンコ等遊技場の不正行為検出方法。
【請求項５】
遊技機が正常に稼動するために備えている電気回路に対して微弱交流を供給する微弱交流供給手段と、微弱交流の流れの状態を記録する記録手段と、記録を表示する表示手段と、これら微弱交流供給手段、記録手段、表示手段を制御する制御手段を備えたことを特徴とするパチンコ等遊技場の不正行為検出装置。
【請求項６】
閉店後から開店前までの間だけ機能するようにするための起動／停止手段を備えていることを特徴とする請求項５記載のパチンコ等遊技場の不正行為検出装置。
【請求項７】
起動／停止手段が、パチンコ等遊技場の電源遮断動作および同電源投入動作により自動的に作動するようにされたことを特徴とする請求項６記載のパチンコ等遊技場の不正行為検出装置。
【請求項８】
記録手段が、コンピュータに実行させるためのプログラムを記録したコンピュータ読み取り可能な記録媒体への記録部を備えていることを特徴とする請求項５〜７のいずれか一つに記載のパチンコ等遊技場の不正行為検出装置。
【請求項９】
微弱交流の流れの状態を信号化してホストコンピュータに発信する送信手段を備えていることを特徴とする請求項５〜８のいずれか一つに記載のパチンコ等遊技場の不正行為検出装置。
【請求項１０】
ホストコンピュータが、上記微弱交流の流れの状態を他のコンピュータに実行させるためのプログラムを記録したコンピュータ読み取り可能な記録媒体に記録する記録部を備えていることを特徴とする請求項５〜８のいずれか一つに記載のパチンコ等遊技場の不正行為検出装置。
【発明の詳細な説明】
【技術分野】
【０００１】
本発明は、パチンコ、パチスロなどの遊技場において、不正行為を検知するために利用するパチンコ等の遊技場の不正行為検知方法及びその装置に関する。
【背景技術】
【０００２】
最近のパチンコ、パチスロなどの遊技機は、コンピュータ利用の電子化が進み、適当に射幸心をくすぐるようにしつつも出玉確率を不当な博打行為にならないように制御するようになっている。また、これら遊技機を備えて娯楽を提供するパチンコホールなどの遊技施設においては、玉やコインを不正に盗取するいわゆる「ゴト行為」が横行している。
【０００３】
上記のゴト行為には、遊技機内に仕込まれた制御装置の配線にバイパス回路を付けて制御動作を乱したり、制御パラメータ用ＲＯＭを交換して出玉確率を変更したりすることにより、遊技機について予め計画された出玉数を大幅に超えた玉やコインを取得するものが多くある。
【０００４】
上記のようなゴト行為は、遊戯施設の従業員を巻き込んで行われることが比較的多く、閉店後に開扉して行なわれることが少なくない。また、従業員による不正行為には、出玉数を改竄してその差分を着服するものもある。このような遊技機に対する不正行為の防御は、なかなか困難であった。
【０００５】
上記のような出玉やコインの不正な盗取行為があれば、これら行為は、遊技機個々の稼働時刻情報や大当たり回数の情報に異常が現れることで検出できる。またＲＯＭの交換があればＲＯＭのＩＤを確認したりメモリ内容のチェックサムを行うことで検出できる。
【０００６】
一方、制御装置に工作される不正行為も少なくない。このような不正行為には、遊技機の扉を開けて制御回路をいじる行為、ハーネスを抜差する行為等が必要であることから、遊戯施設の管理者（主に、オーナー）は、ドア開閉履歴、作業履歴などを記録し、その記録を精査することで管理し、これにより不正行為を発見するようにしている。
【０００７】
上記のような扉の開閉履歴、作業履歴などの記録管理は、遊技機の制御基板にアクセスして行う必要があるために、客が遊戯している営業中にリアルタイムで検査することはできないから、終業後に遊技機の扉を開けて実施している。
【０００８】
そこで、一部の遊技機には、各機に液晶表示装置を備えて情報をリアルタイムに表示させる機能を持たせたものがある。
【０００９】
他方、遊技機は、遊技場の現場管理者に自由に操作運用させると、適切な娯楽装置でなく博打機械になってしまう危険がある。このために、公正な機関による規制に適合する検査を定期的に受けるように義務付けられている。
【００１０】
さらに、遊技場側には、当該遊技場側自身が不当な改変をできないようにするために、一定の範囲を超えた影響を与える操作、例えば確率制御を外部からできないような回路構成にすることが義務づけられている。
【００１１】
因みに、特許文献１には、遊技機の製造番号、制御装置基板の基板番号、ＲＯＭの製造番号などをそれぞれバーコード化して貼付しておき、バーコード読み取り器を用いて読み取り、管理台帳と比較して確認することによって、１個の遊技機に組み込まれた主要な部品が変更されていないか否かをチェックするようにした遊技機の情報管理方法が開示されている。
【００１２】
上記開示の発明方法は、バーコードリーダにより機械的に読み取ることができるから、肉眼で検査するのと比較して読み違いや記入ミスがなく、正確な管理ができる。しかしながら、この開示の発明方法は、扉を開けずに非接触で情報を読み取る方法であるところ、ときには遊技機の扉を開けて内部の部品等をチェックする必要があった。この場合、客が遊戯している最中に確認作業をすることができない不便があった。また、出荷時に決まる事項のみが検査の対象となるので、不正行為に伴う扉の開閉や出玉の状態などのような変化する状況についての情報を収集することができない。
【００１３】
また、特許文献２には、ゲーム機や自動販売機などの利用回数の積算値を記憶しておき、外部端末を近づけたときにその積算値を読み出すようにしたＩＣタグカウンタを備えており、外部端末によりＥＥＰＲＯＭに記憶された積算値を非接触通信手段を介して読み取ること、積算値をリセットして新たな計数に備えることができる装置が開示されている。この装置によれば、利用回数の人為的な改竄を防止することができると共に利用金額の着服など店員の不正行為を防止することができるメリットがあるが、如何せん、この開示の装置は、カウンタ方式で回数積算値を通知するだけであるので、事象の履歴などを記録したり通知することはできないから、種々の形態の不正行為には広く対処することはできない。
【特許文献１】特開２０００−２４２６９号公報
【特許文献２】特開２０００−２２２５３０号公報
【発明の開示】
【発明が解決しようとする課題】
【００１４】
本発明は、前記のような問題点を解消するために案出したものであって、パチンコ台等遊技機が正常に稼動するために備えている電気回路に微弱交流を流しておき、微弱交流に変動が生じたことを記録し且つ当該記録を照査することにより不正を検出するようにした新規のパチンコ等遊技場の不正行為検出方法およびその装置を提供することを目的とする。
【課題を解決するための手段】
【００１５】
上記目的を達成するために、請求項１に係るパチンコ等遊技場の不正行為検出方法は、遊技機が正常に稼動するために備えている電気回路に微弱交流を供給して、その流れの状態を記録し、当該記録の中の異常から不正を発見することを特徴とする。
【００１６】
従って、例えば、オーナー若しくは管理者は、微弱交流の流れ状態の記録を長期スパンで照査することによって、パチンコ機等遊技機の検知スイッチ付き扉の開閉行為、ハーネスの抜差し行為、機器／部品の改竄等行為に起因して現れる断線、電圧降下等の異常を看取することが可能になるから、不正を発見することができる。
【００１７】
請求項２に係るパチンコ等遊技場の不正行為検出方法は、微弱交流の供給が閉店後に開始し、開店前に一時終了することを特徴とする。
【００１８】
従って、パチンコ機等遊技機の検知スイッチ付き扉の開閉行為、ハーネスの抜差し行為、機器／部品の改竄等行為に起因して現れる断線、電圧降下等の記録は、無人の夜間に従業員を煩わすことなく必要に応じて秘密裏に収集することが可能になるから、夜間に発生していた従業員による不正行為、外部からの不正行為を皆無若しくは減少化できる。
【００１９】
請求項３に係るパチンコ等遊技場の不正行為検出方法は、微弱交流供給の開始および一時終了が、パチンコ等遊技場の電源遮断動作および同電源投入動作により自動的になすようにされたことを特徴とする。
【００２０】
従って、閉店直後から開店直前間に至る微弱交流の流れ状態の記録は、オーナー若しくは管理者の手を煩わすことなしに自動的に残すことができる。しかも、この夜間の記録を途切れること無しに長期に亘って自動的に収集できる。
【００２１】
請求項４に係るパチンコ等遊技場の不正行為検出方法は、微弱交流の流れの状態記録を、コンピュータに実行させるためのプログラムを記録したコンピュータ読み取り可能な記録媒体を介して収集することを特徴とする。
【００２２】
従って、例えば、オーナー自身が他の人を介さず上記記録媒体を入手して管理する体制を整えることができる。
【００２３】
請求項５に係るパチンコ等遊技場の不正行為検出装置は、遊技機が正常に稼動するために備えている電気回路に対して微弱交流を供給する微弱交流供給手段と、微弱交流の流れの状態を記録する記録手段と、記録を表示する表示手段と、これら微弱交流供給手段、記録手段、表示手段を制御する制御手段を備えたことを特徴とする。
【００２４】
従って、遊技機が正常に稼動するために備えている電気回路に微弱交流を供給して、その流れの状態を記録し、当該記録の中の異常から不正を発見することができる
【００２５】
請求項６に係るパチンコ等遊技場の不正行為検出装置は、閉店後から開店前までの間だけ機能するようにするための起動／停止手段を備えていることを特徴とする。
【００２６】
従って、パチンコ機等遊技機の検知スイッチ付き扉の開閉行為、ハーネスの抜差し行為、機器／部品の改竄等行為に起因して現れる断線、電圧降下等の記録は、無人の夜間に従業員を煩わすことなく必要に応じて秘密裏に収集することが可能になるから、夜間に発生していた従業員による不正行為、外部からの不正行為を皆無若しくは減少化できる。
【００２７】
請求項７に係るパチンコ等遊技場の不正行為検出装置は、起動／停止手段が、パチンコ等遊技場の電源遮断動作および同電源投入動作により自動的に作動するようにされたことを特徴とする。
【００２８】
従って、閉店直後から開店直前間に至る微弱交流の流れ状態の記録は、オーナー若しくは管理者の手を煩わすことなしに自動的に残すことができる。しかも、この夜間の記録を途切れること無しに長期に亘って自動的に収集できる。
【００２９】
請求項８に係るパチンコ等遊技場の不正行為検出装置は、記録手段が、コンピュータに実行させるためのプログラムを記録したコンピュータ読み取り可能な記録媒体への記録部を備えていることを特徴とする。
【００３０】
従って、オーナーは、例えば、オーナー自身が他の人を介さずパチンコ台等遊技機から移動可能な記録媒体を入手して別のところで関係者を交えずに管理する体制を整えることができる。そして、当該不正行為検出の体制は、オーナーにより独自に構築されていることを知った従業者からすれば安直には不正を行えないというような雰囲気を醸成することに役立つので、結果として不正を軽減できる。
【００３１】
請求項９に係るパチンコ等遊技場の不正行為検出装置は、微弱交流の流れの状態を信号化してホストコンピュータに発信する送信手段を備えていることを特徴とする。
【００３２】
すなわち、本発明に係る不正行為検出装置をに存する各々のパチンコ台等遊技機に装備すれば、これら各々のパチンコ台等遊技機についての記録はホストコンピュータに得ることができる。従って、オーナーは、パスワード等を使用することで従業員を介さずに記録収集およびその管理をする体制を構築できる。
【００３３】
請求項１０に係るパチンコ等遊技場の不正行為検出装置は、ホストコンピュータが、上記微弱交流の流れの状態を他のコンピュータに実行させるためのプログラムを記録したコンピュータ読み取り可能な記録媒体に記録する記録部を備えていることを特徴とする。
【００３４】
従って、オーナーは、例えば、オーナー自身が他の人を介さずホストコンピュータから移動可能な記録媒体を入手して別のところで関係者を交えずに管理する体制を整えることができる。そして、当該不正行為検出の体制は、オーナーにより独自に構築されていることを知った従業者からすれば安直には不正を行えないというような雰囲気を醸成することに役立つので、結果として不正を軽減できる。
【発明の効果】
【００３５】
本発明に係るパチンコ等遊技場の不正行為検出方法およびその装置によれば、不正行為の有無を発見するための有力な資料を無人で自動的に記録収集できる。この記録収集はオーナーが従業員を介さずにできる。また同記録収集は客がプレー中であってもプレーを邪魔することなくできる。
【発明を実施するための最良の形態】
【００３６】
以下、本発明の実施の形態に係るパチンコ等遊技場の不正行為検出装置１の実施例について、図１及び図２を参照して説明する。図１は、本発明不正行為検出装置１をパチンコ台２内に装備した状態で示すブロック図であり、図２は本発明不正行為検出装置１が各パチンコ台２・・に個別に内蔵され、無線ＬＡＮ４を介してホストコンピュータ３に接続されている状態を示すブロック図である。
【００３７】
この本発明不正行為検出装置１は、次のように構成されている。図中符号５Ａ，５Ｂは、パチンコ台２の電源入力線６Ａ、６Ｂに分岐線７Ａ、７Ｂを介して接続される一対の入力端子、８はこの入力端子５Ａ，５Ｂに接続線９Ａ、９Ｂを介して接続された第一整流器である。１０は、一方の入力端子５Ａにコンデンサ１１を介して接続されたバッテリー１０Ａを電源として機能する微弱交流発生器であり、電圧が最大値で１Ｖ弱、周波数が１５Ｈｚ程度の微弱交流信号を発生／出力するように構成されている。
【００３８】
ここで、「微弱交流発生器」で発生する微弱交流の電圧は、接続するパチンコ台の電子機器が耐え得る程度の微弱電圧であればよく、例えばパチンコ台の場合は最大値で約１Ｖ弱が好ましい。また、微弱交流の周波数は、接続するパチンコ台の電子機器に応じて適宜決めればよく、例えばパチンコ台の場合は、商用電源からのハムの影響を避けるため、また、パチンコ台に設けられているスイッチのチャタリング防止用コンデンサの時定数から離れるために、１０〜８Ｈｚが好ましい。また、フォトカプラを省略し、別の並列処理可能な出力手段に置換えることができる。
【００３９】
１２は、他方の入力端子５Ｂにコンデンサ１３を介して接続されたフィルタで、微弱交流信号を通過させるバンドパスフィルタにより構成されている。１４は、当該フィルタ１２の出力側に接続された増幅率５〜３０倍程度の増幅器である。１５は増幅器１４の出力側に接続された第二整流器である。１６はマイコンであり、例えば電源入力線６Ａ、６Ｂの入切スイッチ１７が切られたことを受けて１０秒ごとに１秒間だけ上記微弱交流発生器１０から微弱交流を流すように制御するタイムコントロール機能、当該微弱交流の流れ状態を記録する記録機能、装置されたパチンコ台のアドレス管理等を行う。なお、この微弱交流の流れ状態は、上記接続線９Ａ、９Ｂに設けたＣＴ１８ＡおよびＰＴ１８Ｂを介して実行される。この場合、ＣＴ１８Ａのみにして実施することができる。また、マイコン１６には、微弱交流の流れの状態を他のコンピュータに実行させるためのプログラムを記録したコンピュータ読み取り可能な記録媒体に記録する記録部（図示せず）を設けることができる。
【００４０】
１９は、第一整流器８及び第二整流器１５の出力側に接続されたフォトカプラであり、第一整流器８からの出力信号と第二整流器１５からの出力信号とを並列処理し、無電圧オープンコレクタとして出力するようになっている。２０Ａ、２０Ｂは、フォトカプラ１９からの出力端子であり、中継器２１、無線ＬＡＮ４および受信機２２を介してホストコンピュータ３に接続されている。フォトカプラ１９は、パチンコ台２とホストコンピュータ３との間の電流の往来を遮断して、ホストコンピュータ３の保護を図っている。
【００４１】
微弱交流発生器１０で発生した微弱交流は、コンデンサ１１を介して入力端子５Ａに１０秒ごと１秒間ずつ加えられ、パチンコ台２内の電気回路２Ａを通って入力端子５Ｂに戻る。微弱交流は低電圧であるので、パチンコ台２の電子回路（図示せず）を破壊するおそれはない。この微弱交流は、コンデンサ１３を介して入力されるフィルタ１２によりラインノイズが除かれてきれいな波形となり、増幅器１４で増幅された後、フォトカプラ１９に流れ、出力端子２０Ａ、２０Ｂから中継器２１に送信され、無線ＬＡＮ４および受信機２２を介してホストコンピュータ３に記録される。有線ＬＡＮを介してホストコンピュータ３に記録するようにしてもよい。
【００４２】
上記マイコン１６およびホストコンピュータ３に記録されたデータは、これらマイコン１６、ホストコンピュータ３および移動可能な記録媒体（図示せず）に保存される。この記録媒体は、微弱交流の流れの状態を他のコンピュータに実行させるためのプログラムを記録したコンピュータ読み取り可能な記録媒体にすることが望ましい。
【００４３】
従って、微弱交流の流れ状態の記録データには、たとえば、パチンコ台２の検知スイッチ（図示せず）付き扉の開閉行為、ハーネス（図示せず）の抜差し行為、機器／部品の改竄等の不正行為があったときに、断線による無電圧状態、電圧降下等のような異常波形が表れる。
【００４４】
なお、これら不正行為の完了に要する時間は、少なく見積っても１０秒以下であることは先ずは考えられないから、結局、上記異常の検出動作は欠落無く遂行されることになる。このように上記１０秒程度の短い無電源状態は問題になることではないので、その結果、上記バッテリー１０Ａは単純計算しても１０倍以上長持ちさせることができる。つまり、無電源状態の秒数を長くすればするほどバッテリー１０Ａの寿命を長くできる。
【００４５】
上記実施の態様例は、マイコン１６が、閉店の時の所謂電源落としに伴って微弱電流の送電を開始するように機能し且つ上記データの記録を開始するように機能し、また開店時にはこれら機能を停止するように機能して当該実施の態様例を制御するから、よって上記データの保存は閉店中にできる。
【００４６】
なお、本発明によれば、開店中も当該データの保存をできるようにして実施することは可能である。この場合には、従業員が何らかの都合等により扉の開閉行為、ハーネスの抜差し行為等を行うことを予告、申告するようにすれば、上記照査のときの誤認を回避できる。このように予告、申告の義務を課すようにすれば、開店中にあっても、上記不正行為検出体制が構築できる。すなわち不正行為検出は理論的には永久連続的にできるから、結果として電源入力線６Ａ、６Ｂの入切スイッチ１７、当該スイッチの制御部等を省くことで装置の簡素化ができる。
【００４７】
上記保存されたデータ入りの記録媒体は、オーナーによって回収管理され、オーナーが既存のデータ、現在の各種データ、修理改善等工事の日程データ、その他データを長期スパンで照査し解析して異常を発見するのに利用される。よって、店員を巻き込んだ不正を発見することができる。
【００４８】
また、修理改善等工事は、パチンコ台２の電源を落とした状態で行われることが大半である。このように電源を落とした状態のときには、上記したように微弱交流が自動的に流れるから、当該パチンコ台２についてこれら工事が何回行われた等のデータの収集も可能になる。つまり、パチンコ台２の経歴を知ることができるので、中古の査定にも有効に役立ち、高条件査定の獲得ができる。
【００４９】
さらには、パチンコ台２やそのパーツの納入業者等からすれば、オーナーとの交渉において上記記録媒体の開示を要求することが可能になるから、トラブル等を含めた交渉等をスムーズにできるようになって好都合である。しかも公の管轄業務を容易にすることもできる。
【００５０】
すなわち、本発明の実施の形態に係るパチンコ等遊技場の不正行為検出装置１は、上記したように、不正信号が入力される一対の入力端子５Ａ、５Ｂと、当該入力端子に接続された第一整流器８と、一方の入力端子に接続された微弱交流発生器１０と、他方の入力端子に接続され上記微弱交流のみを通過させるフィルタ１３と、当該フィルタに接続された増幅器１４と、該増幅器に接続された第二整流器１５と、第一整流器からの出力信号と第二整流器からの出力信号とを並列処理して出力する出力手段と、上記微弱交流発生器等の制御用マイコン１６とを一つのボックスに収めた状態で提供し易く、既設のパチンコ台等へ増設が容易にできる。
【図面の簡単な説明】
【００５１】
【図１】本発明不正行為検出装置をパチンコ台内に装備した状態で示すブロック図である。
【図２】本発明不正行為検出装置の使用形態を示すブロック図である。
【符号の説明】
【００５２】
１  不正行為検出装置
２  パチンコ台
３  ホストコンピュータ
４  無線ＬＡＮ
５Ａ、５Ｂ  入力端子
６Ａ、６Ｂ  電源入力線
７Ａ、７Ｂ  分岐線
８  第一整流器
９Ａ、９Ｂ  接続線
１０  微弱交流発生器
１０Ａ  バッテリー
１１  コンデンサ
１２  フィルタ
１３  コンデンサ
１４  増幅器
１５  第二整流器
１６  マイコン
１７  入切スイッチ
１８Ａ  ＣＴ
１８Ｂ  ＰＴ
１９  フォトカプラ
２０Ａ、２０Ｂ  出力端子
２１  中継器
２２  受信機
【図１】
2007195763.tif 000003
【図２】
2007195763.tif 000004